(57)【特許請求の範囲】
【請求項１】
点検カバーにより開閉自在な開口を有する空間内部に設けた引き戸レールに沿って自閉可能とした引き戸装置において、前記点検カバーを開口したとき該開口が臨む位置に、引き戸と共に移動するように該引き戸に設けたストッパー受けと、固定側に設けた弾性ストッパーを配置しており、
前記弾性ストッパーは、前記ストッパー受けに向けて突出する弾性脚体の端部にローラーを設けており、
前記ストッパー受けは、開方向の移動に関して引き戸が少なくとも車椅子の通過巾以上開放されたとき前記ローラーの接触を受けて引き戸の移動を制動するが引き戸が全開状態となったときローラーの接触状態を解除する長さに形成された制動部と、該制動部の戸尻側端部に傾斜して突出する案内部と、該制動部の戸先側端部に前記案内部よりも急激に傾斜して突出することにより引き戸の全開位置を維持する全開ストッパー部とを構成しており、
前記弾性ストッパーの弾性脚体は、ローラーを制動部に対して引き戸の自閉力よりも強く弾性的に当接するように構成され、
開方向の移動に関して引き戸を少なくとも車椅子の通過巾以上で全開位置に至らない開放途中位置まで移動したとき、ローラーが案内部を経て制動部に当接することにより引き戸を自閉しないように停止可能とする一方、引き戸を勢いよく開放移動することにより引き戸が全開位置から跳ね返ったとき、全開ストッパー部を乗り越えたローラーが制動部に当接することにより少なくとも車椅子の通過巾以上の出入り口を確保した状態で引き戸を自閉せず停止するように構成されている事を特徴とする引き戸装置。
【請求項２】
点検カバーにより開閉自在な開口を有する空間内部に設けた引き戸レールに沿って自閉可能とした引き戸装置において、前記点検カバーを開口したとき該開口が臨む位置に、引き戸と共に移動するように該引き戸に設けた弾性ストッパーと、固定側に設けたストッパー受けを配置しており、
前記弾性ストッパーは、前記ストッパー受けに向けて突出する弾性脚体の端部にローラーを設けており、
前記ストッパー受けは、開方向の移動に関して引き戸が少なくとも車椅子の通過巾以上開放されたとき前記ローラーの接触を受けて引き戸の移動を制動するが引き戸が全開状態となったときローラーの接触状態を解除する長さに形成された制動部と、該制動部の戸尻側端部に傾斜して突出する案内部と、該制動部の戸先側端部に前記案内部よりも急激に傾斜して突出することにより引き戸の全開位置を維持する全開ストッパー部とを構成しており、
前記弾性ストッパーの弾性脚体は、ローラーを制動部に対して引き戸の自閉力よりも強く弾性的に当接するように構成され、
開方向の移動に関して引き戸を少なくとも車椅子の通過巾以上で全開位置に至らない開放途中位置まで移動したとき、ローラーが案内部を経て制動部に当接することにより引き戸を自閉しないように停止可能とする一方、引き戸を勢いよく開放移動することにより引き戸が全開位置から跳ね返ったとき、全開ストッパー部を乗り越えたローラーが制動部に当接することにより少なくとも車椅子の通過巾以上の出入り口を確保した状態で引き戸を自閉せず停止するように構成されている事を特徴とする引き戸装置。
【請求項３】
弾性ストッパーは、板バネ材から形成され、ストッパー受けの方向に突出する弾性脚体と、弾性脚体のストッパー受け側の端部に形成されたローラー取付座と、ローラー取付座に回転自在に取付られるゴム製あるいは合成樹脂製のローラーより構成されている事を特徴とする請求項１又は請求項２に記載の引き戸装置。
【発明の詳細な説明】
【０００１】
【発明の属する技術分野】
本発明は、建物の躯体の開口部に配設される引き戸装置に関するものであり、詳しくは、引き戸の開放操作及び開放姿勢が効果的に維持される引き戸装置に関するものである。
【０００２】
【従来の技術】
従来、建物の開口部に配置される引き戸装置は、使用者が通過した後、引き戸が開放されたままにならないよう、引き戸が自動的に閉鎖する自閉機能を有するものが多く採用されている。
一方、人の出入りの多い個所や室内の様子を観察する必要のある個所（特に病室等）においては、その都度、引き戸を開放する煩わしさを解消する為、さらに、室内の通気が必要な時、自閉機能に付加して引き戸の全開状態を維持する全開ストッパー機能（引き戸が全開位置で停止し、自閉しなくなる機能。）も必要であった。
【０００３】
そして、従来の全開ストッパー機能は、図９に示すように、引き戸１ａの戸先側上部に設けられた山形のストッパー受け２ａと、固定側部材３ａに上下方向で取付位置を高さ調節自在とした取付座６ａと、先端にローラー４ａを回転自在に有し、取付座６ａに連結された弾性ストッパー５ａより構成され、引き戸１ａを全開位置まで開放させると、ストッパー受け２ａで弾性に抗して上方に押しやられた（第９図仮想線に示す状態。）弾性ストッパー５ａのローラー４ａが頂部７ａの戸先側に位置し、全開ストパー部８ａに弾性的に当接する事により、引き戸１ａを全開位置で停止させる（図９の実線で示す状態。）ものであった。
【０００４】
しかしながら上記構成によると、勢いよく引き戸１ａが開かれると、全開時、引き戸１ａの戸尻側端部が開放側の縦枠に衝突し、その跳ね返りでストッパー受け２ａが弾性ストッパー５ａを再度上方に押しやって通過し、その後自閉機能によって、引き戸１ａが閉鎖する事があった。
これを防止する為、弾性ストッパー５ａの弾性を強くすると（取付座６ａを下方に調節すると）、全開位置で停止している引き戸１ａを閉鎖させる時（第９図の実線で示す状態から矢印方向に引き戸１ａを移動させる時）、ストッパー受け２ａが弾性ストッパー５ａを弾性に抗して上方に押しやる必要があるので、高齢者、或いは疾病者にとって操作力が非常に重くなり使いづらくなる問題があった。
一方、高齢者、或いは疾病者でも使いやすいように、弾性ストッパー２ａの弾性を弱めに設定すると（取付座６ａを上方に調節して固定座部材３ａに取付）、引き戸１ａが跳ね返らないよう、引き戸１ａに最後まで手を添えて全開させなければならなかった。
【０００５】
しかしながら、引き戸１ａの全開位置は、人の通過巾以上の大きさに設定されているので、車椅子の使用者、高齢者、或いは疾病者にとって引き戸１ａに手を添えてを全開位置まで移動させる事、更に全開位置の引き戸１ａを閉鎖させる為、引き戸１ａに手が届く位置まで移動するのは非常に煩わしい問題であった。
【０００６】
【発明が解決しようとする課題】
本発明は上記問題に鑑みてなされたものであり、簡単な構造で、引き戸を勢いよく開放しても、全開時の反動で閉鎖する事がなく、全開状態（開放状態）の引き戸も軽く閉鎖させる事が可能で、車椅子の使用者、高齢者、或いは疾病者であっても、容易に引き戸を開放状態に維持出来る画期的な引き戸装置を提供する事を目的とする。
【０００７】
【課題を解決する為の手段】
そこで、上記課題を解決する為、本発明の第１の手段として構成したところは、点検カバーにより開閉自在な開口を有する空間内部に設けた引き戸レールに沿って自閉可能とした引き戸装置において、前記点検カバーを開口したとき該開口が臨む位置に、引き戸と共に移動するように該引き戸に設けたストッパー受けと、固定側に設けた弾性ストッパーを配置しており、前記弾性ストッパーは、前記ストッパー受けに向けて突出する弾性脚体の端部にローラーを設けており、前記ストッパー受けは、開方向の移動に関して引き戸が少なくとも車椅子の通過巾以上開放されたとき前記ローラーの接触を受けて引き戸の移動を制動するが引き戸が全開状態となったときローラーの接触状態を解除する長さに形成された制動部と、該制動部の戸尻側端部に傾斜して突出する案内部と、該制動部の戸先側端部に前記案内部よりも急激に傾斜して突出することにより引き戸の全開位置を維持する全開ストッパー部とを構成しており、前記弾性ストッパーの弾性脚体は、ローラーを制動部に対して引き戸の自閉力よりも強く弾性的に当接するように構成され、開方向の移動に関して引き戸を少なくとも車椅子の通過巾以上で全開位置に至らない開放途中位置まで移動したとき、ローラーが案内部を経て制動部に当接することにより引き戸を自閉しないように停止可能とする一方、引き戸を勢いよく開放移動することにより引き戸が全開位置から跳ね返ったとき、全開ストッパー部を乗り越えたローラーが制動部に当接することにより少なくとも車椅子の通過巾以上の出入り口を確保した状態で引き戸を自閉せず停止するように構成されている点にある。
【０００８】
次に本発明が第２の手段として構成したところは、点検カバーにより開閉自在な開口を有する空間内部に設けた引き戸レールに沿って自閉可能とした引き戸装置において、前記点検カバーを開口したとき該開口が臨む位置に、引き戸と共に移動するように該引き戸に設けた弾性ストッパーと、固定側に設けたストッパー受けを配置しており、前記弾性ストッパーは、前記ストッパー受けに向けて突出する弾性脚体の端部にローラーを設けており、前記ストッパー受けは、開方向の移動に関して引き戸が少なくとも車椅子の通過巾以上開放されたとき前記ローラーの接触を受けて引き戸の移動を制動するが引き戸が全開状態となったときローラーの接触状態を解除する長さに形成された制動部と、該制動部の戸尻側端部に傾斜して突出する案内部と、該制動部の戸先側端部に前記案内部よりも急激に傾斜して突出することにより引き戸の全開位置を維持する全開ストッパー部とを構成しており、前記弾性ストッパーの弾性脚体は、ローラーを制動部に対して引き戸の自閉力よりも強く弾性的に当接するように構成され、開方向の移動に関して引き戸を少なくとも車椅子の通過巾以上で全開位置に至らない開放途中位置まで移動したとき、ローラーが案内部を経て制動部に当接することにより引き戸を自閉しないように停止可能とする一方、引き戸を勢いよく開放移動することにより引き戸が全開位置から跳ね返ったとき、全開ストッパー部を乗り越えたローラーが制動部に当接することにより少なくとも車椅子の通過巾以上の出入り口を確保した状態で引き戸を自閉せず停止するように構成されている点にある。
【０００９】
次に本発明が第３の手段として構成したところは、弾性ストッパーは、板バネ材から形成され、ストッパー受け方向に突出する弾性脚体と、弾性脚体のストッパー受け側の端部に形成されたローラー取付座と、ローラー取付座に回転自在に取付られるゴム製あるいは合成樹脂製のローラーより構成されているものである。
【００１０】
【実施例】
以下、本発明を図面に基づいて説明する。
図１〜図４は、第１の実施例を示している。
引き戸装置１は、建物側の鉄骨にブラケットを介して固定された戸先側縦枠及び戸尻側縦枠と、戸先側縦枠及び戸尻側縦枠の上端部間に配設され、建物側鉄骨にブラケットを介して固定された上横枠１１より構成され、建物の開口部内に配設された引き戸枠と、上横枠１１の下方に位置し、戸先側縦枠と戸尻側縦枠の上部間に戸先側縦枠側が低くなるよう高さ調節可能に配設され、引き戸レール１２が取付られるレール取付材１３と、戸先側縦枠と戸尻側縦枠間で、上端がレール取付材１３の室内外側の両面に固定され、下端部が床面に埋め込まれて配設され、戸先側縦枠間とで建物の開口部に出入り口１０を形成する中枠１４、１４と、レール取付材１３の室外側の表面で出入り口１０の上部に取り付けられるランマ下地パネル１５と、レール取付材１３の室内側の表面で出入り口１０の上部に、室内側下地材１６を介して、着脱自在に取付られる点検パネル１７と、引き戸レール１２の吊り座１８に、吊り金具１９、吊りボルト１９１を介して吊り下げられる引き戸２等より構成されている。
【００１１】
符号３・・・は、ランマ下地パネル１５、室内側下地材１６の表面に、建物の壁面の化粧ボードと面一に貼設された化粧ボードを示し、符号５はレール取付材１３に取付高さ調節自在に連結されたストッパー取付座５０に取付られた弾性ストッパーを示し、符号６は引き戸２に取付られたストッパー受けを示している
尚、実施例１の引き戸装置１は、全開時に引き戸２が位置するいわゆる戸袋部分は、壁面の化粧ボードと面一に化粧ボードで隠蔽されているので、出入り口１０及び点検パネル１７を開口した個所より調節が可能なように、ストッパー受け６は、引き戸２の戸先側上端部に、これに対応して弾性ストッパー５は、出入り口１０の上端部中枠１４に位置するよう設けられている。
【００１２】
ストッパー受け６は、引き戸２に連結される連結突片６１と、連結突片６１の上端で外方に突出し、引き戸レール１２と平行に位置する所定長さ（引き戸２が少なくとも車椅子の通過巾以上開放された時、弾性ストッパー５の後記するローラー５４が接触し、引き戸２が全開状態となった時ローラー５４の接触状態が解除される長さ）の制動部６２と、制動部６２の戸尻側端部に傾斜して下方に突出する案内部６３と、制動部６２の戸先側端部に案内部６３より急激に傾斜して下方突出する全開ストッパー部６４より形成されている。
【００１３】
弾性ストッパー５は板バネ材からなり、ストッパー取付座５０の下面に連結される連結部５１と、連結部５１の戸先側端部から傾斜してストッパー受け６の方向に突出する弾性脚体５２と、弾性脚体５２のストッパー受け６側の端部に形成されたローラー取付座５３と、ローラー取付座５３に回転自在に取付られるゴム製あるいは合成樹脂製のローラー５４より構成され、弾性ストッパー５のローラー５４は、開放途中で前記制動部６２に、引き戸２の自閉力（第１実施例では、引き戸レール１２が閉鎖方向に下がるように傾斜して配設された事による自閉力）より強く弾性的に当接している。
【００１４】
第１実施例は、以上の構成であるので、引き戸２が勢いよく開放されても、弾性ストッパー５のローラー５４にストッパー受け６の制動部６２が達すると、ローラー５４は制動部６２に対して引き戸２の自閉力よりも強く弾性的に当接するので、引き戸２の開放運動にブレーキが掛かかる一方、引き戸２の跳ね返りの閉鎖運動でもブレーキがかかるので、前者のブレーキにより、ローラー５４が全開ストッパー部６４の戸先側に当接して引き戸２の全開位置を維持するか、或いは、後者のブレーキにより、跳ね返り後に、少なくとも、車椅子の通過巾以上の出入り口を確保した状態で引き戸２が停止する。
【００１５】
すなわち、引き戸２は、少なくとも車椅子の通過巾以上の開放途中で、制動部６２にローラー５４が当接することにより、自閉を阻止され、停止できるので、車椅子使用者或いは疾病者が、引き戸２を開放状態で停止させておく操作をする時も、又、停止した引き戸２を閉鎖する時も軽い開閉力で行うことが出来る。その一方において、健常者が引き戸１２を開放姿勢で停止させるのに勢いよく引き戸２を開放しても、制動部６２の二重のブレーキ効果により、出入り口１０を確実に確保した状態で引き戸２を停止させておくことが出来るので、最後まで引き戸に手を添えて開放させる必要もない。すなわち、健常者或いは車椅子使用者等の異なった開放力に柔軟に対応する事が出来る。
【００１６】
次に第２実施例を図５、６、７、８に基づいて説明する。
第２実施例の引き戸装置１は、建物の壁面に形成された開口部を出入り口１０とし、この出入り口１０の外側に引き戸２を開閉自在に設けたものである。
引き戸装置１は、建物の鉄骨にブラケット等を介して連結された上横枠１１と、出入り口１０内におさめられ、一部が上横枠１１と連結され三方枠１１１と、、横枠１１の所定位置に引き戸２の開閉方向に沿って複数個構成された取付座１１２・・・にボルト１１３を介して戸先側が低くなるよう高さ調節自在に取付られた、引き戸レール１２が取付られたレール取付材１３と、引き戸レール１２の吊り座１８に吊り金具１９、連結ピン１９１を介して吊り下げられた引き戸２と、引き戸２の上端部及びレール取付材１３等を着脱自在に隠蔽する点検カバー１７等より構成されている。
【００１７】
そして、第２実施例の弾性ストッパー５は、引き戸２と共に移動する吊り座１８にストッパー取付座５０を介して取付られ、ストッパー受け６は、弾性ストッパー５の位置に対応して、レール取付材１３に取付られている。
すなわち、ストッパー受け６は、レール取付材１３に連結される連結される連結突片６１と、連結突片６１の下端で引き戸レール１２側に突出し、引き戸レール１２と平行に位置する所定長さ（引き戸２が少なくとも車椅子の通過巾以上開放された時、引き戸２と共に移動する弾性ストッパー５の後記するローラー５４が接触し、引き戸２が全開状態となった時ローラー５４の接触状態が解除される長さ）の制動部６２と、制動部６２の閉鎖側端部に傾斜して引き戸レール１２の反対方向に突出する案内部６３と、制動部６２の開放側端部に案内部６３より急激に傾斜して引き戸レール１２の反対方向に突出する全開ストッパー部６４より形成されている。
【００１８】
又、第２実施例の弾性ストッパー５は板バネ材からなり、ストッパー取付座５０の引き戸レール１２の反対側面に連結される連結部５１と、連結部５１の戸尻側端部から傾斜してストッパー受６け方向に突出する弾性脚体５２と、弾性脚体５２のストッパー受け６側の端部に形成されたローラー取付座５３と、ローラー取付座５３に回転自在に取付られるゴム製、あるいは合成樹脂製のローラー５４より構成され、弾性ストッパー５のローラー５４は、開放途中で前記制動部６２に、引き戸２の自閉力（第２実施例では、実公平３−２１４２０号に記載された自閉装置による引き戸２自閉力、すなわち、錘体によって常時閉鎖方向に走行力が付与された引き戸２の自閉力）より強く弾性的に当接している。
【００１９】
第２実施例は、以上の構成であるので、引き戸２が勢いよく開放されても、弾性ストッパー５のローラー５４がストッパー受け６の制動部６２に達すると、ローラー５４は制動部６２に対して引き戸２の自閉力よりも強く弾性的に当接するので、引き戸２の開放運動にブレーキが掛かかる一方、引き戸２の跳ね返りの閉鎖運動でもブレーキがかかるので、前者のブレーキにより、ローラー５４が全開ストッパー部６４の開放側に当接して引き戸２の全開位置を維持するか、或いは、後者のブレーキにより、跳ね返り後に、少なくとも、車椅子の通過巾以上の出入り口を確保した状態で引き戸２が停止する。
【００２０】
すなわち、引き戸２は、少なくとも車椅子の通過巾以上の開放途中で、制動部６２にローラー５４が当接することにより、自閉を阻止され、停止できるので、車椅子使用者或いは疾病者が、引き戸２を開放状態で停止させておく操作をする時も、又、停止した引き戸２を閉鎖する時も軽い開閉力で行うことが出来る。その一方において、健常者が引き戸１２を開放姿勢で停止させるのに勢いよく引き戸２を開放しても、制動部６２の二重のブレーキ効果により、出入り口１０を確実に確保した状態で引き戸２を停止させておくことが出来るので、最後まで引き戸に手を添えて開放させる必要もない。すなわち、健常者或いは車椅子使用者等の異なった開放力に柔軟に対応する事が出来る。
【００２１】
【発明の効果】
請求項１及び請求項２に記載の発明によれば、引き戸２を少なくとも車椅子の通過巾以上開放し全開位置に至らない状態で、弾性ストッパー５のローラー５４をストッパー受け６の案内部６３を経て制動部６２に弾性的に当接するように構成し、その際、その弾性的当接を引き戸２の自閉力よりも強くなるように構成しており、該制動部(62)の戸尻側端部に傾斜して突出する案内部(63)を設け、該制動部(62)の戸先側端部に前記案内部(63)よりも急激に傾斜して突出する全開ストッパー部(64)を設けている。従って、引き戸２を開放途中位置（少なくとも車椅子の通過巾以上で全開位置に至らない位置）まで移動したとき、案内部６３を経て制動部６２に当接するローラー５４のブレーキ作用で引き戸２の自閉を阻止することにより停止できるので、車椅子の使用者、高齢者、或いは疾病者であっても、容易に引き戸を開放状態に維持する事ができ、しかも、軽い開閉力で操作することができる。更に、健常者が引き戸２を勢いよく開放移動し、引き戸２が全開位置から跳ね返るような場合でも、全開ストッパー部６４を乗り越えたローラー５４と制動部６２のブレーキ作用で少なくとも車椅子の通過巾以上の出入り口を確保した状態で引き戸２の自閉を阻止し停止させる事ができるので、全開時の反動で閉鎖する事がないという効果がある。
又、請求項３に記載の発明によればストッパー受けと弾性ストッパーの当接部にゴム製あるいは合成樹脂製のローラを使用しているので、引き戸の開閉時にストッパー受けと弾性ストッパーの衝突音が発生せず、特に病室等の静寂さを要求されるところには適している。
【図面の簡単な説明】
【図１】    本発明の第１実施例の要部断面図
【図２】    図１のＡ−Ａ線要部断面図
【図３】    第１実施例において弾性ストッパーと制動部の当接状態を示す要部断面図
【図４】    第１実施例においてストッパー受けが、弾性ストッパーの開放側に位置した状態の要部断面図
【図５】    本発明の第２実施例の要部断面図
【図６】    図５のＢ−Ｂ線要部断面図
【図７】    第２実施例において弾性ストッパーと制動部の当接状態を示す要部断面図
【図８】    第２実施例において、弾性ストッパーと案内部の当接状態を示す要部断面図
【図９】    従来例のストッパー受けと弾性ストッパーを示す説明図
【符号の説明】
１              引き戸装置
１２            引き戸レール
２              引き戸
５              弾性ストッパー
５２            弾性脚体
５３            ローラー取付座
５４            ローラー
６              ストッパー受け
６２            制動部
６３            案内部
６４            全開ストッパー部
【図１】
0003952376.tif 000002
【図２】
0003952376.tif 000003
【図３】
0003952376.tif 000004
【図４】
0003952376.tif 000005
【図５】
0003952376.tif 000006
【図６】
0003952376.tif 000007
【図７】
0003952376.tif 000008
【図８】
0003952376.tif 000009
【図９】
0003952376.tif 000010